(57)【特許請求の範囲】
【請求項１】
空気清浄装置及び体温検知装置（５０）を含み、空気清浄装置は、ヒートポンプ装置（１）、集水装置（２）、制御装置（３）及びケーシング（４）を含み、
ヒートポンプ装置（１）は、コンプレッサ（５）、蒸発器（６）、第１放熱器（７）、第２放熱器（８）、電磁弁（９）、逆止弁（１０）、膨張弁（１１）及びファン（１２）を含み、前記蒸発器（６）、第１放熱器（７）及び第２放熱器（８）の表面にはナノ二酸化チタン被膜がコーティングされており、コンプレッサ（５）の冷媒出力継手（１３）は第１放熱器（７）及び電磁弁（９）に接続され、第１放熱器（７）は膨張弁（１１）に接続され、膨張弁（１１）は蒸発器（６）に接続され、蒸発器（６）はコンプレッサ（５）に接続され、電磁弁（９）は第２放熱器（８）に接続され、第２放熱器（８）は逆止弁（１０）に接続され、逆止弁（１０）は膨張弁（１１）に接続され、
集水装置（２）は集水槽（１４）を含み、集水槽（１４）には、凹溝（１６）、ボス（１７）及びドレンパイプ（１５）が設けられ、ドレンパイプ（１５）の一端は清浄装置の外側に接続され、他端は凹溝（１６）に接続され、ボス（１７）の内部は中空であって紫外線ランプ（２１）が設けられ、ボス（１７）には通気孔（１８）が設けられ、
ケーシング（４）には排気口（１９）及び吸気口（２０）が設けられ、ファン（１２）、蒸発器（６）、第１放熱器（７）及び第２放熱器（８）は排気口（１９）と吸気口（２０）の間に設けられ、通気孔（１８）は排気口（１９）及び吸気口（２０）と連通しており、集水槽（１４）は蒸発器（６）と第１放熱器（７）の間に位置し、第２放熱器（８）はファン（１２）と蒸発器（６）の間に位置し、
前記体温検知装置（５０）の温度検知データは制御装置（３）に伝送され、制御装置（３）は制御線を介してコンプレッサ（５）及びファン（１２）に接続されることを特徴とする空気清浄システム。
【請求項２】
前記集水槽（１４）は複数層設けられ、最下層以外の集水槽（１４）の凹溝（１６）の底には排水孔（２２）が設けられ、集水槽（１４）同士はスペースを隔てており、集水槽（１４）には層ごとに複数の凹溝（１６）と複数のボス（１７）が設けられることを特徴とする請求項１に記載の空気清浄システム。
【請求項３】
前記制御装置（３）には湿度センサ（２４）と制御パネル（２５）が設けられ、制御パネル（２５）には、自動制御スイッチ（２６）、冷気出力スイッチ（２７）及び停止スイッチ（３５）が設けられ、湿度センサ（２４）は吸気口（２０）に装着され、センサ線を介して湿度センサ（２４）と制御装置（３）が接続されることを特徴とする請求項１に記載の空気清浄システム。
【請求項４】
前記集水槽（１４）には層ごとに複数の凹溝（１６）が設けられ、上層の集水槽（１４）の排水孔（２２）が下層の集水槽（１４）の凹溝（１６）に対応していることを特徴とする請求項２に記載の空気清浄システム。
【請求項５】
前記体温検知装置（５０）は単独で配置可能なユニットであり、人体赤外線体温検知器（５１）を含み、人体赤外線体温検知器（５１）は接続ロッド（５２）を介してベース（５３）に接続され、ベース（５３）はケーシング（４）の上端面（２８）に接続され、前記人体赤外線体温検知器（５１）にはｗｉｆｉモジュールが内蔵されることを特徴とする請求項１に記載の空気清浄システム。
【請求項６】
前記排気口（１９）は複数設けられるとともに、ケーシング（４）の上端面（２８）に設置され、吸気口（２０）は複数設けられるとともに、ケーシング（４）の周壁（２９）に設置され、
ファン（１２）は排気口（１９）の下方に位置し、第２放熱器（８）はファン（１２）の下方に位置し、蒸発器（６）は第２放熱器（８）の下方に位置し、集水槽（１４）は蒸発器（６）の下方に位置し、第１放熱器（７）は、集水槽（１４）の下方に位置するとともに吸気口（２０）の上方に位置し、
ファン（１２）のベース、第２放熱器（８）、蒸発器（６）、集水槽（１４）及び第１放熱器（７）は、ケーシング（４）に固定接続されることを特徴とする請求項１に記載の空気清浄システム。
【請求項７】
前記集水槽（１４）はアルミニウム合金板からなり、
集水槽（１４）の表面にはナノ二酸化チタン被膜がコーティングされていることを特徴とする請求項１に記載の空気清浄システム。
【請求項８】
前記ヒートポンプ装置（１）は、貯蔵装置（３０）及び気液分離装置（３１）を含み、
膨張弁（１１）は貯蔵装置（３０）に接続され、貯蔵装置（３０）は第１放熱器（７）及び第２放熱器（８）に接続され、
コンプレッサ（５）は気液分離装置（３１）に接続され、気液分離装置（３１）は蒸発器（６）に接続され、
ケーシング（４）には制御室（３２）が設けられ、コンプレッサ（５）、気液分離装置（３１）、貯蔵装置（３０）及び膨張弁（１１）が制御室（３２）に設けられることを特徴とする請求項１に記載の空気清浄システム。
【請求項９】
前記制御室（３２）は吸気口（２０）の下方に位置し、制御室（３２）には、制御室（３２）と吸気口（２０）を隔てる仕切り板（３３）が設けられることを特徴とする請求項８に記載の空気清浄システム。
【請求項１０】
ケーシング（４）の外側には水受タンクが設けられ、ケーシング（４）にはフックが設けられ、水受タンクはフックに掛止され、前記水受タンクはドレンパイプ（１５）に接続されることを特徴とする請求項１に記載の空気清浄システム。
【発明の詳細な説明】
【技術分野】
【０００１】
本発明は空気清浄に関し、特に、空気清浄システムに関する。
【背景技術】
【０００２】
現在では屋外の空気汚染が問題となっていることから、窓を開けて換気する時間は短くなる一方である。そのため、室内での有害細菌の繁殖や空気の循環不良、湿気等の問題が発生し、人々の健康や生活の質に直接的な悪影響をもたらしている。従来の空気清浄装置は除湿機能を備えないものが一般的であり、仮に除湿機能を備えていたとしても思うような効果は得られていなかった。
【発明の概要】
【発明が解決しようとする課題】
【０００３】
本発明は、従来技術の瑕疵を解消し、空気の除湿及び清浄との目的を達成可能な空気清浄システムを提供することを目的とする。
【課題を解決するための手段】
【０００４】
本発明では、以下の技術方案を用いる。即ち、空気清浄システムであって、空気清浄装置及び体温検知装置（５０）を含み、空気清浄装置は、ヒートポンプ装置、集水装置、制御装置及びケーシングを含み、ヒートポンプ装置は、コンプレッサ、蒸発器、第１放熱器、第２放熱器、電磁弁、逆止弁、膨張弁及びファンを含み、蒸発器、第１放熱器、第２放熱器及び集水槽の表面にはナノ二酸化チタン被膜がコーティングされており、コンプレッサの冷媒出力継手は第１放熱器及び電磁弁に接続され、第１放熱器は膨張弁に接続され、膨張弁は蒸発器に接続され、蒸発器はコンプレッサに接続され、電磁弁は第２放熱器に接続され、第２放熱器は逆止弁に接続され、逆止弁は膨張弁に接続され、集水装置は集水槽及び水受タンクを含み、集水槽と水受タンクは連通しており、集水槽には、凹溝、ボス及びドレンパイプが設けられ、ドレンパイプの一端は清浄装置の外側に接続され、他端は凹溝に接続され、ボスの内部は中空であって紫外線ランプが設けられ、ボスには通気孔が設けられ、ケーシングには排気口及び吸気口が設けられ、ファン、蒸発器、第１放熱器及び第２放熱器が排気口と吸気口の間に設けられ、通気孔は排気口及び吸気口と連通し、集水槽は蒸発器と第１放熱器の間に位置し、第２放熱器はファンと蒸発器の間に位置し、制御装置は、制御線を介してコンプレッサ及びファンに接続される。体温検知装置の温度検知データは制御装置に伝送され、制御装置は制御線を介してコンプレッサ及びファンに接続される。体温検知装置は単独で配置可能なユニットであり、人体赤外線体温検知器を含み、人体赤外線体温検知器は接続ロッドを介してベースに接続される。人体赤外線体温検知器にはｗｉｆｉモジュールが内蔵されて制御装置とワイヤレス接続される。集水槽は複数層設けられ、最下層における集水槽の凹溝の底にはドレンパイプが設けられ、ドレンパイプはケーシングの外側に設けられる水受タンクに連通しており、最下層以外の集水槽の凹溝の底には排水孔が設けられ、集水槽同士はスペースを隔てており、集水槽には層ごとに複数の凹溝と複数のボスが設けられ、上層の集水槽の排水孔が下層の集水槽の凹溝に対応している。
【０００５】
次に、空気清浄システムの動作原理について述べる。ナノ二酸化チタンは非常に貴重な光学的性質を有する。更に、ナノ二酸化チタンにはたいへん高度な化学的安定性、熱安定性、非毒性、超親水性、非移行性があり、且つ、食品との接触にも問題はない。紫外線の作用によってナノ二酸化チタンが活性化し、高触媒活性を有する遊離基が生成されると、たいへん強い光酸化及び還元能力が生じて、各種ホルムアルデヒド等の有機物及び一部無機物を触媒及び光分解可能となる。これにより、室内空気に対する清浄化機能が発揮され、空気が清浄装置を通過する際に当該空気が清浄化される。当該スマート空気清浄装置には、清浄除湿暖房と清浄除湿冷房の２種類の動作状態がある。清浄除湿暖房動作状態では、清浄除湿暖房動作時に、清浄を要する室内に当該装置を設置する。装置内の紫外線ランプがオンになると、第１放熱器、第２放熱器、蒸発器及び集水槽の表面にコーティングされたナノ二酸化チタンが触媒作用を発揮し、空気中のホルムアルデヒド等の有害物質を除去するとともに、様々な有害細菌を滅殺する効果が実現される。制御装置は、ヒートポンプ装置のコンプレッサ及びファンの運転を制御するとともに、電磁弁が導通するよう制御して、第１放熱器及び第２放熱器に熱を放出させ、蒸発器を冷却させる。次に、湿気を含んだ空気がケーシングの吸気口から取り込まれる。湿気を含んだ空気は、まず第１放熱器を通過することで加熱により蒸発し、集水槽によって水分が冷却・吸収された後、蒸発器を通過することで凝縮により除湿される。蒸発器を通過することで凝縮除湿された空気は第２放熱器を通過することで昇温する。そして、水分の吸収、凝縮除湿及び昇温を終えた空気が排気口から排出される。集水槽及び蒸発器により吸収された水は水受タンクに収集される。これにより、除湿効果を高めるとの目的が達せられるとともに、室内に乾燥した冷気が供給される。一方、清浄除湿冷房動作状態では、清浄除湿冷房動作時に、制御装置がコンプレッサ及びファンの運転を制御するとともに、電磁弁を切断して導通させないよう制御する。これにより、第２放熱器への冷媒の進入がなくなる。続いて、ヒートポンプ装置の第１放熱器が熱を放出するよう制御するとともに、蒸発器を冷却させるよう制御する。次に、湿気を含んだ空気がケーシングの吸気口から取り込まれる。湿気を含んだ空気は、まず第１放熱器を通過することで加熱により蒸発し、集水槽によって水分が冷却・吸収された後、蒸発器を通過することで凝縮により除湿される。そして、蒸発器を通過することで凝縮除湿された冷たい空気が排気口から排出される。集水槽及び蒸発器により吸収された水は水受タンクに収集される。これにより、除湿効果を高めるとの目的が達せられるとともに、室内に乾燥した冷気が供給される。体温検知装置は人体の温度を検知可能であり、検知結果に基づいて、制御装置により動作状態が暖房或いは冷房となるよう制御される。
【発明の効果】
【０００６】
本発明によれば、以下の有益な効果が得られる。空気清浄システムには、ヒートポンプ装置及び集水装置が設けられる。装置内の紫外線ランプを用いることで、紫外線が、第１放熱器、第２放熱器、蒸発器及び集水槽の表面にコーティングされたナノ二酸化チタンに対し触媒作用を発揮し、空気中のホルムアルデヒド等の有害物質を除去するとともに、様々な有害細菌を滅殺する効果を発揮する。また、第１放熱器と集水槽により１回目の除湿を行い、次に蒸発器により２回目の除湿を行う。蒸発器により凝縮された水は集水槽の温度を下げ、水蒸気を吸収して水に変えてから水受タンクに排出する。これにより、除湿器の除湿効率が向上する。また、単独で配置可能な体温検知装置が設けられる。体温検知装置は実際の必要性に応じて相応の位置に配置可能であり、検知結果に基づいて、除湿後の空気は加熱及び冷却の２種類の方式に自動調整される。なお、加熱及び冷却の動作方式については、手動制御としてもよい。
【図面の簡単な説明】
【０００７】
【図１】図１は、空気清浄装置の構造を示す図である。
【図２】図２は、体温検知装置の構造を示す図である。
【発明を実施するための形態】
【０００８】
以下に、図面と具体的実施例を組み合わせて本発明につき更に説明する。
【０００９】
図１は、空気清浄システムの構造を示す図である。空気清浄システムは、ヒートポンプ装置１、集水装置２、制御装置３及びケーシング４を含む。ヒートポンプ装置１は、コンプレッサ５、蒸発器６、第１放熱器７、第２放熱器８、電磁弁９、逆止弁１０、膨張弁１１及びファン１２を含む。蒸発器６、第１放熱器７、第２放熱器８及び集水槽１４の表面にはナノ二酸化チタン被膜がコーティングされている。コンプレッサ５の冷媒出力継手１３は第１放熱器７及び電磁弁９に接続されている。第１放熱器７は膨張弁１１に接続されており、膨張弁１１は蒸発器６に接続されており、蒸発器６はコンプレッサ５に接続されている。電磁弁９は第２放熱器８に接続されており、第２放熱器８は逆止弁１０に接続されており、逆止弁１０は膨張弁１１に接続されている。集水装置２は集水槽１４を含む。集水槽１４には、凹溝１６、ボス１７及びドレンパイプ１５が設けられている。ドレンパイプ１５の一端は清浄装置の外側に接続され、他端は凹溝１６に接続されている。ボス１７の内部は中空となっており、紫外線ランプ２１が設けられている。また、ボス１７には通気孔１８が設けられている。ケーシング４には排気口１９及び吸気口２０が設けられており、ファン１２、蒸発器６、第１放熱器７及び第２放熱器８が排気口１９と吸気口２０の間に設けられている。通気孔１８は排気口１９及び吸気口２０と連通している。集水槽１４は蒸発器６と第１放熱器７の間に位置し、第２放熱器８はファン１２と蒸発器６の間に位置している。制御装置３は、制御線を介してコンプレッサ５及びファン１２に接続されている。ケーシング４の先端部には体温検知装置５０が設けられている。体温検知装置５０の温度検知データは制御装置３に伝送される。制御装置３は、制御線を介してコンプレッサ５及びファン１２に接続されている。体温検知装置５０は単独で配置可能なユニットであり、人体赤外線体温検知器５１を含む。人体赤外線体温検知器５１は、接続ロッド５２を介してベース５３に接続されている。人体赤外線体温検知器５１にはｗｉｆｉモジュールが内蔵されており、制御装置３とワイヤレス接続される。体温検知装置５０と制御装置３はワイヤレス接続方式を採用しているため、体温検知装置５０が人体の温度を検知すると、無線信号によって人体の温度データが制御装置３に伝送される。すると、制御装置３は制御信号を出力して装置を制御する。接続ロッド５２は可撓性を有し、必要に応じて角度を調節可能である。
【００１０】
次に、空気清浄システムの動作原理について述べる。動作時には、清浄を要する室内に装置を設置する。紫外線ランプ２１がオンになると、第１放熱器７、第２放熱器８、蒸発器６及び集水槽１４の表面にコーティングされたナノ二酸化チタンが触媒作用を発揮し、空気中のホルムアルデヒド等の有害物質を除去するとともに、様々な有害細菌を滅殺する。当該装置には、清浄除湿暖房と、清浄除湿冷房の２種類の動作状態が存在する。清浄除湿暖房動作状態では、清浄除湿暖房動作時に、除湿を要する室内に空気清浄システムを設置し、制御装置３によって、ヒートポンプ装置１のコンプレッサ５及びファン１２の運転を制御するとともに、電磁弁９が導通するよう制御する。これにより、第１放熱器７及び第２放熱器８に熱を放出させ、蒸発器６を冷却させる。次に、湿気を含んだ空気がケーシング４の吸気口２０から取り込まれる。湿気を含んだ空気は、まず第１放熱器７を通過することで加熱により蒸発し、集水槽１４によって水分が冷却・吸収された後、蒸発器６を通過することで凝縮により除湿される。蒸発器６を通過することで凝縮除湿された空気は第２放熱器８を通過することで昇温する。そして、水分の吸収、凝縮除湿及び昇温を終えた空気が排気口１９から排出される。排水孔２２は凹溝１６に対応しているが、通気孔１８とは位置ずれしている。そのため、滴下した水滴がそのまま凹溝１６に落ち込み可能であるほか、装置に流入する空気の速度が減速するため、清浄効果と除湿効果が強化される。集水槽１４及び蒸発器６により吸収された水は、ドレンパイプ１５を経由して水受タンクに収集される。これにより、除湿効果を高めるとの目的が達せられるとともに、室内に乾燥した暖気が供給される。一方、清浄除湿冷房動作状態では、清浄除湿冷房動作時に、制御装置３によってコンプレッサ５及びファン１２の運転を制御するとともに、電磁弁９を切断して導通させないよう制御する。これにより、第２放熱器８への冷媒の進入がなくなる。続いて、ヒートポンプ装置１の第１放熱器７が熱を放出するよう制御するとともに、蒸発器６を冷却させるよう制御する。次に、湿気を含んだ空気がケーシング４の吸気口２０から取り込まれる。湿気を含んだ空気は、まず第１放熱器７を通過することで加熱により蒸発し、集水槽１４によって水分が冷却・吸収された後、蒸発器６を通過することで凝縮により除湿される。そして、蒸発器６を通過することで凝縮除湿された冷たい空気が排気口１９から排出される。集水槽１４及び蒸発器６により吸収された水はドレンパイプ１５を経由して水受タンクに収集される。これにより、除湿効果を高めるとの目的が達せられるとともに、室内に乾燥した冷気が供給される。
【００１１】
空気清浄システムの清浄除湿暖房動作時において、湿気を含んだ空気は吸気口２０から進入した後、第１放熱器７を通過することで加熱により水蒸気となる。水蒸気は最下層の集水槽１４の通気孔１８から進入し、蒸発したまま上層の集水槽１４における背面位置まで流動すると、背面位置で持続的に冷却されて水滴となる。水滴は下層の集水槽１４の凹溝１６内に流動し、凹溝１６の排水孔２２から最下層の集水槽１４へと流動すると、最下層の集水槽１４の凹溝１６からドレンパイプ１５を経由して水受タンクに流動する。このように、湿気を含んだ空気を第１放熱器７で加熱により蒸発させ、集水槽１４により湿気を含んだ空気中の水分を冷却し、吸収する。１回目の除湿を終えた湿気を含んだ空気は、最上層の集水槽１４の通気孔１８から蒸発器６に流動し、蒸発器６で降温して水に凝縮される。これにより、湿気を含んだ空気に対する２回目の除湿が行われる。凝縮水は蒸発器６から下方の集水槽１４に滴下すると、最下層以外の各層の集水槽１４における凹溝１６の排水孔２２を経由して最下層の集水槽１４内に流入する。そして、最下層の集水槽１４からドレンパイプ１５を経由して水受タンクに収集される。湿気を含んだ空気は、放熱器７、集水槽１４及び蒸発器６を通過することで２回にわたり水分が吸収されてから第２放熱器８に進入し、第２放熱器８での加熱後に排気口１９から排出される。このように絶え間なく循環させることで、室内空気中の湿気を持続的に除去する。
【００１２】
空気清浄システムの清浄除湿冷房動作時において、湿気を含んだ空気は吸気口２０から進入した後、第１放熱器７を通過することで加熱により水蒸気となる。水蒸気は最下層の集水槽１４の通気孔１８から進入し、蒸発したまま上層の集水槽１４における背面位置まで流動すると、背面位置で持続的に冷却されて水滴となる。水滴は下層の集水槽１４の凹溝１６内に流動し、凹溝１６の排水孔２２から最下層の集水槽１４へと流動すると、最下層の集水槽１４の凹溝１６からドレンパイプ１５を経由して水受タンクに流動する。このように、湿気を含んだ空気を第１放熱器７で加熱により蒸発させ、集水槽１４により湿気を含んだ空気中の水分を冷却し、吸収する。１回目の除湿を終えた湿気を含んだ空気は、最上層の集水槽１４の通気孔１８から蒸発器６に排出され、蒸発器６で降温して水に凝縮される。これにより、湿気を含んだ空気に対する２回目の除湿が行われる。凝縮水は蒸発器６から下方の集水槽１４に滴下すると、最下層以外の各層の集水槽１４における凹溝１６の排水孔２２を経由して最下層の集水槽１４内に流入する。そして、最下層の集水槽１４からドレンパイプ１５を経由して水受タンクに排出される。湿気を含んだ空気は、放熱器７、集水槽１４及び蒸発器６を通過することで２回にわたり水分が吸収された後、除湿された冷気が排気口１９から排出される。このように絶え間なく循環させることで、室内空気中の湿気を持続的に除去する。
【００１３】
空気清浄システムの除湿機能を高めるために、集水槽１４は２層以上設けられており、最下層の集水槽１４内にドレンパイプ１５が設けられている。最下層以外の集水槽１４の凹溝１６の底には排水孔２２が設けられており、集水槽１４同士はスペースを隔てている。集水槽１４には層ごとに複数の凹溝１６と複数のボス１７が設けられ、上層の集水槽１４の排水孔２２が下層の集水槽１４の凹溝１６に対応している。排気口１９は複数設けられ、ケーシング４の上端面２８に設置されている。また、吸気口２０は複数設けられ、ケーシング４の周壁２９に設置されている。ファン１２は排気口１９の下方に位置し、第２放熱器８はファン１２の下方に位置する。蒸発器６は第２放熱器８の下方に位置し、集水槽１４は蒸発器６の下方に位置する。第１放熱器７は集水槽１４の下方に位置するとともに、吸気口２０の上方に位置する。ファン１２のベース、第２放熱器８、蒸発器６、集水槽１４及び第１放熱器７は、ケーシング４に固定接続されている。集水槽１４は、アルミニウム合金板からなる。
【００１４】
空気清浄システムの制御機能を高めるために、制御装置３には湿度センサ２４と制御パネル２５が設けられており、制御パネル２５には、自動制御スイッチ２６、冷気出力スイッチ２７及び停止スイッチ３５が設けられている。湿度センサ２４は吸気口２０に装着されており、センサ線を介して湿度センサ２４と制御装置３が接続されている。
【００１５】
空気清浄システムの清浄除湿暖房動作時に、自動制御スイッチ２６が押下されると、制御装置３は電磁弁９が導通するよう制御する。電磁弁９が導通すると第２放熱器８に冷媒が通過し、第２放熱器８が通過する除湿空気を放熱により加熱することで、除湿された暖気が排気口１９から排出される。一方、空気清浄システムの清浄除湿冷房動作時に、冷気出力スイッチ２７が押下されると、制御装置３は電磁弁９を切断して導通させないよう制御する。すると、第２放熱器８に対する冷媒の通過がなくなり、第２放熱器８が放熱をやめる結果、除湿された冷気が排気口１９から排出される。蒸発器６から集水槽１４に滴下した凝縮水は、最上層の集水槽１４における凹溝１６の排水孔２２及び通気孔１８から一つ下の層の集水槽１４に流入し、最終的に最下層の集水槽１４へと流動する。凝縮水を利用して各層の集水槽１４を降温させることで、集水槽１４と放熱器７により昇温した湿気を含んだ空気との温度差が拡大する。そのため、凝縮水により降温した各層の集水槽１４と昇温した湿気を含んだ空気が接触することで、昇温した水蒸気が冷却されて水滴となる結果、除湿効率が向上する。
【００１６】
空気清浄システムの清浄除湿暖房動作時に、自動制御スイッチ２６が押下されると、制御装置３は清浄除湿暖房の自動制御動作状態となる。室内空気中の湿度が所定の湿度上限値に達すると、湿度センサ２４は湿度信号を制御装置３に伝送する。すると、制御装置３は、コンプレッサ５、ファン１２及び電磁弁９の電源がオンとなるよう制御し、第１放熱器７、集水槽１４及び蒸発器６を用いて除湿する。室内空気中の湿度が低下を続け、室内空気中の湿度が所定の湿度下限値まで低下すると、湿度センサ２４は湿度信号を制御装置３に伝送する。すると、制御装置３は、コンプレッサ５、ファン１２及び電磁弁９の電源をオフとし、空気清浄システムの動作が清浄除湿暖房を停止する。
【００１７】
空気清浄システムの清浄除湿冷房動作時に、冷気出力スイッチ２７が押下されると、制御装置３は清浄除湿冷房の自動制御動作状態となる。室内空気中の湿度が所定の湿度上限値に達すると、湿度センサ２４は湿度信号を制御装置３に伝送する。すると、制御装置３は、コンプレッサ５及びファン１２の電源がオンとなり、電磁弁９の電源がオフとなるよう制御し、第１放熱器７、集水槽１４及び蒸発器６を用いて除湿する。室内空気中の湿度が低下を続け、室内空気中の湿度が所定の湿度下限値まで低下すると、湿度センサ２４は湿度信号を制御装置３に伝送する。すると、制御装置３は、コンプレッサ５、ファン１２の電源をオフとし、空気清浄システムの動作が清浄除湿冷房動作を停止する。
【００１８】
空気清浄システムの動作時において、放熱器７に進入した湿気を含んだ空気は加熱により水蒸気となる。水蒸気は各層の集水槽１４における複数の通気孔１８から進入し、昇温した水蒸気は蒸発したまま各層の集水槽１４における背面位置に到達する。そして、凝縮水により降温した各層の集水槽１４の背面位置と水蒸気とが十分に接触することで、水蒸気が冷却されて水となる。蒸発器６から下方の集水槽１４に滴下した凝縮水は、最下層の集水槽１４上方に位置する各層の集水槽１４における排水孔２２から最下層の集水槽１４へと流動する。第１放熱器７により加熱された湿気を含んだ空気は、各層の集水槽１４における排水孔２２を通過する際に、排水孔２２を流れる凝縮水に吸収されて水に変化し、ドレンパイプ１５を経由して水受タンクに排出される。これにより、除湿効率が更に向上する。ファン１２が運転すると、ケーシング４内の空気は吸気口２０から排気口１９へと流動する。空気清浄システムの動作時には、蒸発器６で吸収した空気の熱が第１放熱器７に転用され、第１放熱器７により湿気を含んだ空気が加熱される。
【００１９】
ヒートポンプ装置１は、貯蔵装置３０及び気液分離装置３１を含む。膨張弁１１は貯蔵装置３０に接続され、貯蔵装置３０は第１放熱器７及び第２放熱器８に接続される。コンプレッサ５は気液分離装置３１に接続され、気液分離装置３１は蒸発器６に接続される。ケーシング４には制御室３２が設けられ、コンプレッサ５、気液分離装置３１、貯蔵装置３０及び膨張弁１１が制御室３２に設けられている。制御室３２は吸気口２０の下方に位置する。制御室３２には、制御室３２と吸気口２０を隔てる仕切り板３３が設けられている。水受タンクはケーシング４の外側に設けられる。ケーシング４にはフックが設けられ、水受タンクはフックに掛止される。
【図１】
0006770672.tif 000002
【図２】
0006770672.tif 000003